(57)【要約】      （修正有）【課題】一つの近接検知センサーにより、太陽光の検知と接眼の検知を正しく分けて検出し、電子ビューファインダーの小型化に貢献する。【解決手段】近接検知センサー２１０を有する電子ビューファインダー２００を備えた撮像装置において、近接検知センサー２１０は、光照射部と光受光部を有し、光受光部の出力から接眼検知を判定する第一の検出基準と、光受光部の出力から太陽光下にあることを判定する第二の検出基準を有する検出手段を備える。【選択図】図８
2017126922.tif 000002
【特許請求の範囲】
【請求項１】
近接検知センサーを有する電子ビューファインダーを備え、
前記近接検知センサーは光照射部と光受光部を有し、
前記光受光部の出力から接眼検知を判定する第一の検出基準と
前記光受光部の出力から太陽光下にあることを判定する第二の検出基準を有する
検出手段を備えたことを特徴とする撮像装置。
【請求項２】
前記撮像装置は発光部を有し、前記第二の検出基準を検出した場合前記発光部を点滅発光することを特徴とする請求項１に記載の撮像装置。
【請求項３】
前記電子ビューファインダーはチルトアップすることができ、前記撮像装置は前記チルトアップを検出するためのチルトアップ検出手段を有し、前記チルトアップ検出手段が前記チルトアップを検出していない場合は前記第二の検出基準の検出を無効とすることを特徴とする請求項１又は請求項２に記載の撮像装置。
【請求項４】
前記光照射部は赤外光を照射することを特徴とする請求項１乃至請求項３の何れか一項に記載の撮像装置。
【発明の詳細な説明】
【技術分野】
【０００１】
本発明は、ビデオカメラまたはデジタルカメラ等の電子ビューファインダーを備える撮像装置に関する。
【背景技術】
【０００２】
従来より、液晶パネルや有機ＥＬパネル等の表示素子により表示を行う電子ビューファインダーが搭載された撮像装置が提案されている。このような撮像装置を晴天時に屋外で使用する場合、使用者が不用意に電子ビューファインダーを太陽に向けてしまうことがある。そのまま撮像装置を放置してしまうと、電子ビューファインダーに設置した接眼レンズで太陽光を表示素子に集光し続けてしまう。長時間集光し続けると表示素子が劣化を起こし、最悪の場合、太陽光による熱により表示面が変形し表示素子が使用不能となってしまう。
【０００３】
そこで、使用者の接眼を検知し、接眼していないときはエレクトロクロミック材料等を使用した制限部で表示素子に入射する光線の強さを制限する技術が提案されている。或いは、測光部が周囲の明るさを測定し、その結果に応じてエレクトロクロミック材料等を使用した制限部で表示素子に入射する光線の強さを制限する技術が提案されている（特許文献１）。
【先行技術文献】
【特許文献】
【０００４】
【特許文献１】特開２０１０−２１６２１号公報
【発明の概要】
【発明が解決しようとする課題】
【０００５】
上記の特許文献１に記載のある機構では、使用者の接眼動作の検知による制限部の制御と、周囲の明るさの検知による制限部の制御とを別々の制御方法として記載してある。
【０００６】
しかし、接眼の検知と周囲の明るさの検知の両方を考慮した制御方法に関しては述べてはいない。また、接眼の検知のためのセンサーと、太陽光の照射を検知する為の明るさの検知センサーを別途設けてしまうと電子ビューファインダーが大型化してしまうといった問題が起こる。
【０００７】
そこで、一つのセンサーで接眼の検知と太陽光の検知を正しく分けて検出する制御手段が重要である。
【課題を解決するための手段】
【０００８】
上記の目的を達成する為に、本発明に係る撮像装置は、
近接検知センサーを有する電子ビューファインダーを備えた撮像装置において、前記近接検知センサーは光照射部と光受光部を有し、前記光受光部の出力から接眼検知を判定する第一の検出基準と、前記光受光部の出力から太陽光下にあることを判定する第二の検出基準を有する検出手段を備えたことを特徴とする。
【発明の効果】
【０００９】
本発明に係る撮像装置によれば、一つの近接検知センサーにより、太陽光の検知と接眼の検知を正しく分けて検出することができ、電子ビューファインダーの小型化に貢献することができる。
【図面の簡単な説明】
【００１０】
【図１】本発明の第１の実施形態に係る撮像装置１の外観斜視図である。
【図２】本発明の第１の実施形態に係る電子ビューファインダー２００の外観斜視図である。
【図３】本発明の第１の実施形態に係る電子ビューファインダー２００の断面図である。
【図４】本発明の第１の実施形態に係る電子ビューファインダー２００の近接検知センサー２１０の配置を示した斜視図である。
【図５】本発明の第１の実施形態に係る電子ビューファインダー２００の近接検知センサー２１０の電気接続を示す断面図である。
【図６】本発明の第１の実施形態に係る近接検知センサー光照射部２１２より照射される光線の強度を模式的に表すグラフである。
【図７】本発明の第１の実施形態に係る近接検知センサー光受光部２１３より受光する光線の強度を模式的に表すグラフである。
【図８】本発明の第１の実施形態に係る撮像装置１の構成を示すブロック図である。
【図９】本発明の第１の実施形態に係る撮像装置１の発光ボタン群３０５の点滅発光に関わる制御方法を示すフローチャートである。
【図１０】本発明の第２の実施形態に係る撮像装置１１の外観斜視図である。
【図１１】本発明の第２の実施形態に係る撮像装置１１の構成を示すブロック図である。
【図１２】本発明の第２の実施形態に係る撮像装置１１の発光ボタン群３０５の点滅発光に関わる制御方法を示すフローチャートである。
【発明を実施するための形態】
【００１１】
以下に、本発明を実施するための形態を図面に基づいて詳細に説明する。
【００１２】
〈第１の実施の形態〉
図１は本発明の実施の形態に係る撮像装置１を前方側から見た外観斜視図である。
【００１３】
この撮像装置１は、レンズ交換式のデジタルビデオカメラとして構成されている。図１に示すように、撮像装置１はカメラ本体部３００に交換レンズ２を着脱できるレンズマウント部３０１を有する。また、図示されていないが、レンズマウント部３０１の後方の本体内部には、被写体の映像を受光する撮像素子３０２を有する。
【００１４】
撮像装置１の前方から見て右側面側には、電源スイッチ３０４、発光ボタン群３０５、発光ボタン群制御ボタン３０６、ＲＥＣボタン３０７がある。
【００１５】
電源スイッチ３０４は電源ＯＦＦ状態より時計回りに回すと電源ＯＮ状態となり、撮影モードが起動し撮影が可能となる。電源スイッチ３０４を電源ＯＦＦ状態から反時計回りに回すと、再生モードが起動しＲＥＣした映像を再生することが可能となる。また、撮影モード時の撮影のスルー画、及び再生モード時の再生映像は、撮像装置１の上方にある電子ビューファインダー２００を覗きこむことにより視認することができる。電子ビューファインダー２００の詳細の構成については後述する。
【００１６】
使用者は発光ボタン群３０５を操作することによって、撮像装置１に所定の動作を実行させることができる。夜間等の操作し難いときには発光ボタン群制御ボタン３０６を押すことにより、発光ボタン群３０５を発光させ操作を容易にすることができる。また、発光ボタン群３０５が発光しているときに発光ボタン群制御ボタン３０６をもう一度押すと発光ボタン群３０５は消灯する制御となっている。
【００１７】
ＲＥＣボタン３０７は撮影モードのときに動画の記録を開始／停止することができる。
【００１８】
次に図２、図３、を用いて電子ビューファインダー２００の構成を詳細に説明する。
【００１９】
図２は電子ビューファインダー２００の外観構成を示す斜視図である。図２（ａ）は電子ビューファインダー２００を図１同様に前方側から見た外観斜視図であり、図２（ｂ）は電子ビューファインダー２００を後方側から見た外観斜視図である。
【００２０】
電子ビューファインダー２００はカメラ本体部３００に接続する為のカメラ本体接続ヒンジ２０１、及びカメラ本体部３００のメイン基板４００より画像信号やその他の信号を送受するためのビューファインダー接続ＦＰＣ２０２を備える。
【００２１】
図３は電子ビューファインダー２００の内部構成を示す断面図である。図３（ａ）は断面位置を示す図であり、その切り口から見た断面図が図３（ｂ）である。
【００２２】
電子ビューファインダー２００では光軸２５０の周りを一周囲うようにアイカップ２０３が形成されている。アイカップ２０３に顔を密着して使用すると、如何なる方向の外光をも遮蔽して、表示素子２０４の表示内容の視認性が良くなる。
【００２３】
カメラ本体部３００からビューファインダー接続ＦＰＣ２０２を通り送られた画像信号はファインダー基板２８０を経由して表示素子２０４に送られ光学画像として表示される。また、電子ビューファインダー２００において表示素子２０４は有機ＥＬパネルである。表示素子２０４より表示された光線としての光学画像はレンズ部２０５によって集光される。集光された光線はレンズ保護板２０６を透過し、使用者の眼に入射され光学画像として視認される。また、レンズ保護板２０６は光線が通過する開口を有するレンズ保護板押さえ部材２０７により電子ビューファインダー２００に固定される。
【００２４】
電子ビューファインダー２００のように、表示素子２０４の光学画像をレンズ部２０５により集光する電子ビューファインダーにおいては、不用意に太陽光がレンズ保護板２０６よりファイダーの光学系に入射すると問題が起こる。それは、ファインダー光学系に入射した太陽光は表示素子２０４の表示面付近でレンズ部２０５により集光してしまい、長時間入射し続けると太陽光の熱により表示素子２０４が劣化を起こしてしまう。最悪の場合、太陽光の熱で表示素子２０４の表示面が変形してしまい表示素子２０４が使用不能となってしまう。
【００２５】
そのため、光学系に太陽光が入射した場合はいち早く、電子ビューファインダーの姿勢を変える等の光学系に太陽光が入らなくする処置が必要となる。それを実現するには、太陽光が表示素子２０４に入射していることを検知するこが重要である。そして、使用者にそのことを知らせて、電子ビューファインダーの姿勢を変える等の太陽光が表示素子に当たらなくする等の処置を促すことが必要となる。
【００２６】
電子ビューファインダー２００において表示素子２０４として使用している有機ＥＬパネルは従来のパネルより高精細である一方、従来のパネルよりも寿命が短いといった短所を有する。そのため、撮像装置１では表示素子２０４の高寿命化の為に、使用者が電子ビューファインダー２００を覗くために接眼したときだけ、表示素子２０４を作動させ、それ以外は停止させる制御を行っている。この制御のためには、接眼を検知するための近接検知センサー２１０を電子ビューファインダー２００に設置することが必要不可欠である。
【００２７】
次に図４と図５を用いて近接検知センサー２１０の説明を詳細に行う。
【００２８】
図４は近接検知センサー２１０の配置がわかるように、近接検知センサー窓部材２１１を外した状態の電子ビューファインダー２００の外観斜視図である。
【００２９】
撮像装置１で使用している近接検知センサー２１０は、近接検知センサー光照射部２１２より物体を検出するための光線を照射し、近接した物体に反射した光線を近接検知センサー光受光部２１３で受光することにより、検知を行っている。すなわち、電子ビューファインダー２００を覗いた使用者の顔、または眼で反射した光線を受光することで電子ビューファインダー２００への接眼状態を判別することができる。電子ビューファインダー２００の近接検知センサー光照射部２１２からはピーク波長が約９４０ｎｍの赤外光が照射され、その波長の光線を近接検知センサー光受光部２１３により受光する構成となっている。近接検知センサー光照射部２１２の赤外光の照射方向は、電子ビューファインダー２００の光軸２５０と平行方向に赤外光の強度が最大となるように設置している。また、電子ビューファインダー２００では、赤外光が最大方向の強度から半分の強度になる指向性の角度（半値角）は片側約３０度である。
【００３０】
図５は電子ビューファインダー２００の近接検知センサー２１０の電気接続を示す断面図であり、図５（ａ）は断面位置を示す図、その切り口から見た断面図が図５（ｂ）である。また、近接検知センサー光照射部２１２の光線照射範囲２１４を図示している。図示した光線照射範囲２１４の角度は前述した半値角の３０度の範囲である。
【００３１】
図５（ｂ）で示した通り、近接検知センサー２１０とファインダー基板２８０とは近接検知センサー接続ＦＰＣ２１５により電気的に接続され、また前述した通り、ファインダー基板２８０は表示素子２０４と電気的に接続されている。そのため、撮像装置１では表示素子２０４の高寿命化のために、接眼を検知しているときは表示素子２０４を作動させ、それ以外のときは表示素子２０４を停止させる制御を行うことができる。
【００３２】
また、近接検知センサー２１０の前面には、近接検知センサー２１０の保護を目的とした、近接検知センサー窓部材２１１が設置されている。近接検知センサー窓部材２１１そのもので近接検知センサー光照射部２１２より照射された光線を反射させて誤検知してしまうことを防ぐために、近接検知センサー窓部材２１１は光線を透過しやすい部材でなくてはならない。電子ビューファインダー２００では、近接検知センサー２１０が外から透けて見えることを防止し品位を向上する目的で、約７５０ｎｍより長い波長の光は透過しやすく、それより短い波長の光は透過し難い材料で近接検知センサー窓部材２１１を成型している。これにより、近接検知センサー窓部材２１１は、近接検知センサー光照射部２１２より照射されたピーク波長約９４０ｎｍの赤外光は透過するものの可視光は透過しにくく、近接検知センサー２１０が外から透けて見え難い構成となっている。
【００３３】
接眼の検知を正確に行うために近接検知センサー２１０はレンズ保護板押さえ部材２０７の開口付近に配置している。もし、太陽光の表示素子２０４への入射を正確に検知するために別途センサーをレンズ保護板押さえ部材２０７に配置してしまうと電子ビューファインダー２００が大型化してしまうといった問題が起こる。太陽光の検知と接眼の検知を行うことができれば電子ビューファインダー２００の大型化を避けることができるが、その技術に関しては後述する。
【００３４】
次に、撮像装置１においての近接検知センサー２１０による接眼の検知と太陽光の検知の方法に関して図６、図７を用いて詳細に説明する。
【００３５】
図６は近接検知センサー光照射部２１２から照射する光線の強度を模式的に表したグラフである。このグラフは縦軸に照射する光線の強度、横軸に時間を表している。
【００３６】
図６で示す通り、近接検知センサー光照射部２１２からは一定の強さの光線が断続的に照射されている。具体的には、Δａの間光線を照射しΔｂの間光線の照射をやめる動作を繰り返し行い、断続的に光線を照射している。これは、近接検知センサー光受光部２１３より接眼時の反射光を受光する際に、近接検知センサー光照射部２１２から照射された光線とそれ以外の光線を区別し、反射光以外の光線による誤検知を防止するためである。
【００３７】
図７は近接検知センサー光受光部２１３の受光する光線の強度を模式的に表したグラフである。このグラフは縦軸に受光する光線の強度、横軸に時間を表している。図７（ａ）は近接検知センサー光照射部２１２の光線が使用者に反射しているが、接眼していると検知していない状態のグラフである。図７（ｂ）は近接検知センサー光照射部２１２の光線が使用者に反射しており、接眼していると検知している状態のグラフである。図７（ｃ）は表示素子２０４が劣化する恐れがある太陽光が近接検知センサー光受光部２１３に照射されている状態のグラフである。
【００３８】
近接検知センサー光照射部２１２より照射された断続的な光線が使用者に反射し、近接検知センサー光受光部２１３で受光すると、図７（ａ）で示す通り断続的な受光の波形を示す。この状態においては、反射光を近接検知センサー光受光部２１３で受光しているものの閾値２１６には達していない為、太陽光検知も接眼検知も行わない状態である。つまり、使用者が電子ビューファインダー２００から遠い距離にいる状態である。撮像装置１においては、電子ビューファインダー２００からどの程度近づいたら接眼と検知するかという距離の調整を近接検知センサー光照射部２１２の照射光の強度を調整することにより行っている。電子ビューファインダー２００では使い勝手上、近接検知センサー２１０から約７ｃｍ以下の距離となったら接眼と検知するように近接検知センサー光照射部２１２の強度を調整している。
【００３９】
次に、図７（ｂ）では、図７（ａ）の状態より使用者が更に電子ビューファインダー２００に近づいて、接眼を検知している状態である。前述した通り、撮像装置１では誤検知を防止する為に近接検知センサー光照射部２１２より断続的な光線が照射されている。それに応じて図７（ｂ）で示す通り、近接検知センサー光受光部２１３では断続的な光線を受光している。撮像装置１では使用者からの反射光を識別する為に、識別時間Δｃの間に一回だけ閾値２１６を超えてその後に閾値２１６を下回ったときに、接眼したと想定している。また、撮像装置１では識別時間Δｃを、近接検知センサー光照射部２１２が照射した時間Δａと照射していない時間Δｂを合わせたΔａ＋Δｂの時間としている。撮像装置１では一瞬だけ発生した別の光線による誤検知を防止する為に、Δｃの間の一回の光線の検知を１周期として、３周期以上検知したら接眼したと判断するような制御方法としている。
【００４０】
最後に、図７（ｃ）では、表示素子２０４が劣化する恐れがある程の太陽光が近接検知センサー光受光部２１３に照射され、太陽光を検知している状態である。前述した通り、品位向上のために、近接検知センサー窓部材２１１を、約７５０ｎｍより長い波長の光は透過しやすくそれより短い波長の光は透過し難い材料でできている。しかし、太陽光は約７５０ｎｍより長い波長の成分を含んでいるために、図７（ｃ）で示す通り太陽光を検知することができる。
【００４１】
図７（ｃ）で示す通り、撮像装置１ではΔｃの間ずっと受光した光線の値が閾値２１６を超えている場合、太陽光を検知していると想定している。誤検知防止の観点から、撮像装置１ではΔｃの間ずっと光線が受光していることを１周期として、３周期以上閾値２１６を超える光線を受光し続けたら太陽光を検知したと判断するような制御方法としている。撮像装置１では、表示素子２０４の表示面の材料や、レンズ部２０５の集光の度合い、電子ビューファインダー２００全体の光学系の透過率を考慮して、表示素子２０４が劣化する恐れがある程の太陽光の強度の値である閾値２１６の値を設定している。
【００４２】
図６と図７を用いて近接検知センサー２１０による太陽光と接眼の検知方法を説明してきたが、今度はこの検知方法を用いた、撮像装置１の太陽光を検知した時の制御方法を図８、図９を用いて詳細に説明する。
【００４３】
図８は本発明の実施形態に係る撮像装置１の構成を示すブロック図である。
【００４４】
本実施例の撮像装置１はまず交換レンズ２に入射した被写体の像が、撮像素子３０２によって電気信号に変換される。変換された信号は、メイン基板４００の制御部４０１に入力される。撮像装置１の制御部４０１は、撮像素子３０２から送られる信号電荷を輝度信号及び色信号のデジタル映像データに変換する画像処理部４０２と、ＣＰＵである制御ＩＣ４０３と、揮発性メモリーであるワークメモリ部４０４と、発光ボタン群３０５の制御を行う発光ボタン制御部４０５により構成される。
【００４５】
画像処理部４０２で変換されたデジタル映像データは、ワークメモリ部４０４に一時的に記録され、制御ＩＣ４０３の制御によって記録媒体３へと記録される。デジタル映像データは、画像処理部４０２からファインダー基板２８０にあるファインダー画像処理部２８１にも送られる。送られたデジタル映像データは表示素子２０４で表示するためのフォーマットに変換され、電子ビューファインダー２００内の表示素子２０４にて撮影時のスルー画として表示される。また、あらかじめプログラムメモリ部４０６に格納されている各種アイコン表示を表示素子２０４に表示することも可能である。また、ファインダー基板２８０は、ファインダー画像処理部２８１及び近接検知センサー２１０の制御を行う近接検知センサー制御部２８２により構成される。
【００４６】
本実施例の撮像装置１は電源スイッチ３０４を時計回りに回転操作させることにより、撮影モード検出スイッチ４０７が押し込まれて信号が制御ＩＣ４０３に送られ、撮像装置１の電源がＯＮされ撮影モードが起動する。この状態においてＲＥＣボタン３０７を操作することにより、ＲＥＣスイッチ４０８が押し込まれ、撮影が開始され、デジタル映像データの記録媒体３への書き込みが始まる。
【００４７】
電源スイッチ３０４を反時計回りに回転させると再生モード検出スイッチ４０９が押し込まれて信号が制御ＩＣ４０３に送られ、撮像装置１の電源がＯＮされ再生モードが起動する。制御ＩＣ４０３に送られた信号が画像処理部４０２に行き、そこから記録媒体３に書き込まれたデジタル映像データを読み取りに行く。再生モード時、電子ビューファインダー２００により記録媒体３のデジタル映像データを確認することができる。その場合、記録媒体３よりデジタル映像データが画像処理部４０２に送られ、そこからファインダー画像処理部２８１に送られる。ファインダー画像処理部２８１に送られた映像データは表示素子２０４で表示するためのフォーマットに変換され、表示素子２０４に送られて、使用者はデジタル映像データを確認することができる。
【００４８】
使用者が電子ビューファインダー２００に接眼した場合、近接検知センサー２１０により電気信号が近接検知センサー制御部２８２に送られる。その電気信号により近接検知センサー制御部２８２が接眼したと判断し、表示素子２０４を消灯状態からデジタル映像データの表示を行う。逆に、近接検知センサー制御部２８２が接眼していないと判断した場合は表示素子２０４のデジタル映像データの表示から消灯状態に切り替わる。
【００４９】
周りが暗くボタン操作が困難なとき等は発光ボタン群制御ボタン３０６を押すとその信号が発光ボタン制御部４０５に行き発光ボタン群３０５を点灯させ、発光ボタン群３０５の操作を容易にすることができる。また、発光ボタン群３０５が点灯している時に発光ボタン群制御ボタン３０６を押すと、その信号が発光ボタン制御部４０５に行き発光ボタン群３０５を消灯させることができる。
【００５０】
しかし、表示素子２０４が劣化を起こす程の太陽光が近接検知センサー光受光部２１３に照射された場合、近接検知センサー２１０は電気信号を近接検知センサー制御部２８２に送る。その電気信号により近接検知センサー制御部２８２が太陽光を検知したと判断した場合、近接検知センサー制御部２８２は電気信号を発光ボタン制御部４０５に送る。その電気信号を受け、発光ボタン制御部４０５は発光ボタン群３０５を点滅発光させる。
【００５１】
点滅発光させることにより、使用者に表示素子２０４が劣化を起こす程の太陽光が表示素子２０４に照射されていることを知らせる。それを受けた使用者は電子ビューファインダーの姿勢を変える等の太陽光が表示素子に当たらなくする処置をし、太陽光による表示素子２０４の劣化を防ぐことができる。
【００５２】
図９は本発明の実施形態に係る撮像装置１の発光ボタン群３０５の点滅発光に関わる制御方法を示したフローチャートである。
【００５３】
図９に示したように、まずステップＳ１０１で撮像装置１の電源スイッチ３０４がＯＮされると撮像装置が起動する。
【００５４】
ステップＳ１０２進み、近接検知センサー制御部２８２により太陽光を検知したか否かを判断する。太陽光を検知してないと判断した場合ステップＳ１０３に進み、近接検知センサー制御部２８２により接眼を検知したか否かを判断する。接眼を検知した場合ステップＳ１０４に進み表示素子２０４の表示を点灯させ、接眼を検知しなかった場合はステップＳ１０５に進み表示素子２０４の表示を消灯させる。ステップＳ１０４とステップＳ１０５の後は共に、ステップＳ１０６に進む。
【００５５】
ステップＳ１０６では発光ボタン群制御ボタン３０６が押されたことを検知した場合はステップＳ１０７に進み、発光ボタン群３０５を発光させる。また、前述した通り発光ボタン群３０５が発光された状態で発光ボタン群制御ボタン３０６を押した場合は発光ボタン群３０５の消灯の指示であるため、ステップＳ１０８に進み発光ボタン群３０５を消灯させる。ステップＳ１０７とステップＳ１０８の後は共にステップＳ１０９に進む。
【００５６】
ステップＳ１０２において、近接検知センサー制御部２８２により太陽光を検知したと判断した場合はステップＳ１１０に進む。ステップＳ１１０に進んだ場合は、表示素子２０４に太陽光が照射され高温になっている可能性があるため、少しでも温度が上がらないようにするために、表示素子２０４の表示を消灯し、ステップＳ１１１に進む。ステップＳ１１１ではいち早く使用者に表示素子２０４に太陽光が照射されていることを知らせ、表示素子２０４に太陽光があたらなくするための処置を促すために、発光ボタン群３０５を点滅発光させる。その後、ステップＳ１０９に進む
ステップＳ１０９では撮像装置１の電源スイッチ３０４がＯＦＦされたかを判断する。ＯＦＦされると撮像装置１が停止し、終了処理をする。ＯＦＦされない場合はステップＳ１０２に戻り、同様の処理を続ける。
【００５７】
これらの制御により、発光ボタン群３０５を点滅発光させることにより、使用者に表示素子２０４が劣化を起こす程の太陽光が表示素子２０４に照射されていることを知らせる。それを受けた使用者は電子ビューファインダー２００の姿勢を変える等の太陽光が表示素子２０４にあたらなくする処置をすることにより、太陽光による表示素子２０４の劣化を防ぐことができる。
【００５８】
〈第２の実施の形態〉
第２の実施の形態において、第１の実施の形態の撮像装置１と同様の部分については同じ符号を使用し、詳細な説明を省略する。
【００５９】
図１０は第２の実施の形態に係る撮像装置１１の電子ビューファインダー２００をチルトアップさせた状態の外観斜視図である。
【００６０】
撮像装置１１では電子ビューファインダー２００をチルトアップさせることができ、チルトアップしているか否かを検出する為のファインダーチルトアップ検出部３０８を備えている（不図示）。
【００６１】
撮像装置１１では、前述した通り品位向上を目的として、近接検知センサー窓部材２１１を、７５０ｎｍより長い波長の光は透過しやすくそれより短い波長の光は透過し難い材料で成型している。そのため、太陽光以外の赤外光が近接検知センサー窓部材２１１を透過し、近接検知センサー光受光部２１３で受光し、太陽光以外の赤外光で誤検知を起こしてしまう。
【００６２】
また、電子ビューファインダー２００をチルトアップしているときは太陽光が近接検知センサー光受光部２１３や表示素子２０４に入射し易く、逆にチルトアップしていないときは、太陽光は近接検知センサー光受光部２１３や表示素子２０４に入射し難い。
【００６３】
そこで、撮像装置１１では、ファインダーチルトアップ検出部３０８を設置することにより、表示素子２０４に太陽光が入射する可能性が高い、電子ビューファインダー２００がチルトアップしているときに限り、近接検知センサー２１０による太陽光の検知を有効にしている。この制御により、他の光線による太陽光検知の誤検知を防止できるような仕組みとなっている。
【００６４】
ファインダーチルトアップ検出部３０８を使用した制御方法に関して図１１と図１２を用いて詳細に説明する。
【００６５】
図１１は本発明の実施形態に係る撮像装置１１の構成を示すブロック図である。
【００６６】
近接検知センサー２１０から近接検知センサー制御部２８２に電気信号が送られ太陽光を検知していると判断した場合でも、前述した通りこれは誤検知の可能性がぬぐいきれない。
【００６７】
そこで、太陽光を検知しているといった電気信号を近接検知センサー制御部２８２から発光ボタン制御部４０５に送る。この信号とファインダーチルトアップ検出部３０８がチルトアップしているといった電気信号を受けて、初めて発光ボタン制御部４０５は太陽光を検知したと断定して、発光ボタン制御部４０５を点滅発光させる。点滅発光させることにより、使用者に表示素子２０４が劣化を起こす程の太陽光が表示素子２０４に照射されていることを知らせる。それを受けた使用者は電子ビューファインダーの姿勢を変える等の太陽光が表示素子に当たらなくする処置をし、太陽光による表示素子２０４の劣化を防ぐことができる。
【００６８】
図１２は本発明の実施形態に係る撮像装置１１の発光ボタン群３０５の点滅発光に関わる制御方法を示したフローチャートである。
【００６９】
図１２に示したように、まずステップＳ１０１で撮像装置１の電源スイッチ３０４がＯＮされると撮像装置が起動する。
【００７０】
ステップＳ１０２進み、近接検知センサー制御部２８２により太陽光を検知したか否かを判断する。太陽光を検知してないと判断した場合ステップＳ１０３に進み、近接検知センサー制御部２８２により接眼を検知したか否かを判断する。接眼を検知した場合ステップＳ１０４に進み表示素子２０４の表示を点灯させ、接眼を検知しなかった場合はステップＳ１０５に進み表示素子２０４の表示を消灯させる。ステップＳ１０４とステップＳ１０５の後は共に、ステップＳ１０６に進む。
【００７１】
ステップＳ１０６では発光ボタン群制御ボタン３０６が押されたことを検知した場合はステップＳ１０７に進み、発光ボタン群３０５を発光させる。また、前述した通り発光ボタン群３０５が発光された状態で発光ボタン群制御ボタン３０６を押した場合は発光ボタン群３０５の消灯の指示であるため、ステップＳ１０８に進み発光ボタン群３０５を消灯させる。ステップＳ１０７とステップＳ１０８の後は共にステップＳ１０９に進む。
【００７２】
ステップＳ１０２において、近接検知センサー制御部２８２により太陽光を検知したと判断した場合はステップＳ１１２に進む。ステップＳ１１２に進んだ場合は、ファインダーチルトアップ検出部３０８により電子ビューファインダー２００がチルトアップしているか否かを判断する。電子ビューファインダー２００がチルトアップしていないと判断した場合は、近接検知センサー制御部２８２の太陽光の検知は誤検知であったので、ステップＳ１１３に進む。ステップＳ１１３で表示素子２０４をＯＮし、ステップＳ１０６に進む。ステップＳ１１２において電子ビューファインダー２００がチルトアップしていると検知した場合は太陽光を検知していると断定し、ステップＳ１１０に進む。
【００７３】
ステップＳ１１０では表示素子２０４に太陽光が照射され高温になっている可能性があるため、少しでも温度が上がらないようにするために、表示素子２０４の表示を消灯し、ステップＳ１１１に進む。
【００７４】
ステップＳ１１１ではいち早く使用者に表示素子２０４に太陽光が照射されていることを知らせ、表示素子２０４に太陽光があたらなくするための処置を促すために、発光ボタン群３０５を点滅発光させる。その後、ステップＳ１０９に進む
ステップＳ１０９では撮像装置１の電源スイッチ３０４がＯＦＦされたかを判断する。ＯＦＦされると撮像装置１が停止し、終了処理をする。ＯＦＦされない場合はステップＳ１０２に戻り、同様の処理を続ける。
【００７５】
これらの制御により、発光ボタン群３０５を点滅発光させることにより、使用者に表示素子２０４が劣化を起こす程の太陽光が表示素子２０４に照射されていることを知らせる。それを受けた使用者は電子ビューファインダー２００の姿勢を変える等の太陽光が表示素子２０４にあたらなくする処置をすることにより、太陽光による表示素子２０４の劣化を防ぐことができる。
【００７６】
以上、本発明の好ましい実施形態について説明したが、本発明はこれらの実施形態に限られず、その要旨の範囲内で種々の変形及び変更が可能である。
【符号の説明】
【００７７】
２００  電子ビューファインダー、２１０  近接検知センサー、
２１２  近接検知センサー光照射部、２１３  近接検知センサー光受光部、
２１６  閾値、２８２  近接検知センサー制御部、３０５  発光ボタン群、
４０５  発光ボタン制御部
【図１】
2017126922.tif 000003
【図２】
2017126922.tif 000004
【図３】
2017126922.tif 000005
【図４】
2017126922.tif 000006
【図５】
2017126922.tif 000007
【図６】
2017126922.tif 000008
【図７】
2017126922.tif 000009
【図８】
2017126922.tif 000010
【図９】
2017126922.tif 000011
【図１０】
2017126922.tif 000012
【図１１】
2017126922.tif 000013
【図１２】
2017126922.tif 000014